(57)【要約】【課題】各種床材の敷設が容易であり、床材にガタが生じるのを防止したデッキ部材の提供を目的とする。【解決手段】ベース体と、床材を敷設するための中間部材と、複数の支持脚取付部材と、複数の支持脚とを有し、ベース体は平面視略方形形状で支持脚装着孔を上下に貫通して複数有し、中間部材は上面略フラット面を有し、支持脚取付部材は雌ねじ部を上下に貫通して有し、支持脚はボルト部材を有し、ボルト部材の挿入方向先端に工具被操作部を配設してあり、中間部材は下面をデッキ部材ベース体上面に連結し、支持脚取付部材は支持脚装着孔に嵌合連結し、ボルト部材は支持脚取付部材雌ねじ部に工具被操作部を先端にして螺合連結してあることを特徴とする。【選択図】  図１
0003124638.tif 000002
【実用新案登録請求の範囲】
【請求項１】
ベース体と、床材を敷設するための中間部材と、複数の支持脚取付部材と、複数の支持脚とを有し、
ベース体は平面視略方形形状で支持脚装着孔を上下に貫通して複数有し、
中間部材は上面に略フラット面を有し、
支持脚取付部材は雌ねじ部を上下に貫通して有し、
支持脚はボルト部材を有し、
ボルト部材の挿入方向先端に工具被操作部を配設してあり、
中間部材は下面をデッキ部材ベース体上面に連結し、
支持脚取付部材は支持脚装着孔に嵌合連結し、
ボルト部材は支持脚取付部材雌ねじ部に工具被操作部を先端にして螺合連結してあることを特徴とするデッキ部材。
【請求項２】
床材は平面視略方形形状の長尺材からなり、裏面に複数の突条を平行に形成してあり、
中間部材は略フラット面の上面に床材の突条を嵌合するための嵌合溝を床材の突条配置に対応して有していることを特徴とする請求項１記載のデッキ部材。
【考案の詳細な説明】
【技術分野】
【０００１】
本考案は、ベランダ、建築物通路、庭等に建物出入口や通路等との段差を解消するためのデッキ部材に関し、特に各種床材を取り付けるのに適している。
【背景技術】
【０００２】
ベランダや庭等と、建物出入口や、通路等の室内側床面との段差を解消する目的で、所定高さに調整可能な水平床面を形成するデッキ部材が採用されている
このデッキ部材では、例えば図１２（ａ）に示すような薄い格子状の取付用中間部材１６０に専用の床材１５０を取付け、この中間部材１６０を図１２（ｂ）に示すようにベース体１２０に取り付けたものが公知である。
しかし床材１５０は、床材下面の幅方向中央に設けた突条１５１を中間部材１６０の溝１６１に嵌め込むことで中間部材に取り付けてあり、幅方向中央部分のみで床材を支持する構造では、床材が幅中央部の突条部を支点にして左右に振れたりガタが生じやすい問題があった。
また、近年ではより高級感を得るために幅広の床材やタイル材を取り付けたいニーズがある。
しかし、デッキ部材においては、上側から脚部を回転して高さ調整するための穴が必要であり、使用できる床材に制限があった。
実登第３０２０３７１号公報には石材またはタイル材を床材として用いる技術を開示するが、施工後の高さ調整ができないものであり、特に床の施工が大変である。
【０００３】
【特許文献１】実登第３０２０３７１号公報
【考案の開示】
【考案が解決しようとする課題】
【０００４】
本考案は上記技術的課題に鑑みて、各種床材の敷設が容易であり、床材にガタが生じるのを防止したデッキ部材の提供を目的とする。
【課題を解決するための手段】
【０００５】
本考案の技術的要旨は、ベース体と、床材を敷設するための中間部材と、複数の支持脚取付部材と、複数の支持脚とを有し、ベース体は平面視略方形形状で支持脚装着孔を上下に貫通して複数有し、中間部材は上面に略フラット面を有し、支持脚取付部材は雌ねじ部を上下に貫通して有し、支持脚はボルト部材を有し、ボルト部材の挿入方向先端に工具被操作部を配設してあり、中間部材は下面をデッキ部材ベース体上面に連結し、支持脚取付部材は支持脚装着孔に嵌合連結し、ボルト部材は支持脚取付部材雌ねじ部に工具被操作部を先端にして螺合連結してあることを特徴とする。
【０００６】
請求項２記載の考案の技術的要旨は、床材は平面視略方形形状の長尺材からなり、裏面に複数の突条を平行に形成してあり、中間部材は略フラット面の上面に床材の突条を嵌合するための嵌合溝を床材の突条配置に対応して有していることを特徴とする。
ここで、床材の裏面に複数の突条を設けるとは、２本以上の突条を長手方向に平行に設ける趣旨であり、この場合に幅方向両側の端部付近に沿って設けるのがよい。
【考案の効果】
【０００７】
本考案に係るデッキ部材においては、床材を取り付ける中間部材上面を略フラット面としたことから、接着等の貼付で各種床材をこの略フラット面に任意に取り付けることが出来る。
また、長尺床材を敷設する際に床材の裏面に複数の突条を形成し、この複数の突条に対応した嵌合溝で床材を支持すると床材の幅方向のガタが生じなく安定して床材を保持出来る。
よって、床材の裏面に平行に設けた複数の突条で支持するので、従来よりも幅広の長尺床材を安定して固定できる。
【考案を実施するための最良の形態】
【０００８】
図６は本考案に関するデッキ部材の実施例の説明図で、バルコニー等のコンクリート製床面２に適用した状態の側面を模式的に描いてある。
バルコニー１の床面２は室内側床面３より低く形成してあり、出入口４側にはステップ２ａを形成し、バルコニー１のはね出し方向側端には排水溝２ｂが形成してある。
室外と室内の間には出入口として戸４ａが取り付けられている。
バルコニー床面２上には、通常のデッキ部材１０を複数個敷設し、残りのスペースにデッキ部材１０を敷設できなくなった際に残りスペースの寸法に合わせて切断した寸法調整デッキ部材１０ａを敷設し、バルコニー床面２と室内床面３との段差を解消するようにするが、図１では模式的に一枚ずつ示してある。
図１（ｂ）、図４（ａ）にデッキ部材１０、１０ａの外観斜視図を示し、図１１にデッキ部材１０、１０ａを裏側から見た外観斜視図を示す。
デッキ部材１０、１０ａはベース体２０、２０ａにベース体２０、２０ａを支持する複数の支持脚３０ａ、３０ｂ、３０ｃを支持脚取付部材３１あるいは支持脚格子取付け部材４０を用いて取り付けてあり、ベース体２０、２０ａの上面には中間部材６０、６０ａを用いて床材５０、５０ａを取り付けてある。
デッキ部材１０、１０ａは、それぞれの支持脚３０ａ、３０ｂ、３０ｃと支持脚取付部材３１、あるいは支持脚格子取付部材４０とで形成する高さを適度に調整することで、デッキ部材床面１０ｃ、１０ｄを例えば室内床面３との間に段差を生じないように、所定高さに水平に設置可能としてある。
ベース体２０の表面を図９（ａ）に示し、裏面を図９（ｂ）に示す。
また、裏側から見た外観斜視図を図１０に示す。
ベース体２０は、所定位置に複数の支持脚装着部２１と、支持脚装着部２１間を連結する縦桟２２ｂと横桟２２ｃとからなる格子体部２２とを有して略方形板状に形成してあり、上面の所定位置には係合爪２３を複数設けてある。
また、ベース体２０の側面部分には、他のベース体２０と雄雌の嵌合で連結して複数のデッキ部材を連設出来るようにした、連結オス部２４と連結メス部２５とを設けてある。
支持脚装着部２１は、上下方向の支持脚取付筒２１ｂを設けてその内側にベース体２０を上下に貫通する支持脚装着孔２１ａを形成してある。
この装着用筒２１ｂは図６に示す支持脚取付部材３１に取り付けた支持脚を下方から支持脚取付筒２１ｂの下端に嵌合装着するもので、その嵌合装着構造は後述する。
格子体部２２は図１８に示すように、ベース体２０上面から下面に渡る複数の縦桟２２ｂと横桟２２ｃとを所定位置に略升目形に配置して縦桟２２ｂと横桟２２ｃの交差部分に交差部２２ａを形成したもので、各桟間にベース体２０を上下に貫通する複数の格子穴２２ｄを設けてある。
ベース体２０は、この格子穴２２ｄを横切るように切断することで、設置スペースに合わせた大きさに容易に切断して寸法調整用のベース体２０ａとすることが出来る。
図６に示す支持脚３０ａは、ボルト部材３２にスペーサー３５を連結してこのスペーサー３５に、下端に台座３８を取り付けた他のスペーサー３５ａを連結してあり、ボルト部材３２を支持脚取付部材３１に取り付けてベース体２０に装着してある。
支持脚３０ｂは、ボルト部材３２に、下端に台座３８を取り付けたスペーサー３５を連結してあり、ボルト部材３２を支持脚取付部材３１に取り付けてベース体２０に装着してある。
支持脚３０ｃは、下端に台座３８を取り付けたボルト部材３２を連結してあり、支持脚取付部材３１に取り付けてベース体２０ａ、あるいは、支持脚格子取付部材４０に取り付けてベース体２０ａに装着してある。
【０００９】
次に床材を取り付ける中間部材について説明する。
図１は、ベース体に取り付けた中間部材に、各種床材を載置又は貼り付ける状態の説明図を示す。
図１（ａ）は床材敷設前の状態を示し、図１（ｂ）は敷設後の状態を示す。
また、図２（ａ）に中間部材６０の表面を示し、図２（ｂ）に裏面を示す。
中間部材６０の表側には、略フラット面６１を形成してあるので、図１に示すように床材５０ａはフラット面６１に並べて敷設できる。
床材５０ａの形状と大きさは、中間部材６０に取り付けられる範囲の任意のものを用いることが出来る。
フラット面６１には、縦方向と横方向との交互に複数のリブ列６１aを設けてあり、床材５０ａがずれにくくなっているため、床材５０ａを並べて置くだけでもよい。
なお、接着剤を用いて敷設してもよいが、メンテナンスを考えると接着しない方がよい。
中間部材６０は、中間部材６０の係合爪６３と図９（ａ）に示すベース体２０の係合爪２３とを互いに係合させてベース体２０上に取り付けてある。
図４（ｂ）は、平面視方形形状の長尺床材を取り付けた場合のデッキ部材の外観斜視図を示す。
図３（ａ）に床材５０ｂの表面を示し、図３（ｂ）に床材５０ｂの裏面を示す。
床材５０ｂは、図４（ｂ）に示すように中間部材６０の一方向に複数毎を並べて中間部材６０の表面上に敷き詰めて配設できる略矩形板状に形成してある。
床材５０ｂの裏面５０ｄには、床材５０ｂを中間部材６０に合わせて取付けて、床材５０ｂを支持するための取付用突条５１が、床材裏面５０ｄの幅方向の両側縁付近から下向きとなるように突出させて形成してある。
図２に示す中間部材６０は表側に、この取付用突条５１を嵌めて床材５０ｂを中間部材６０の上の所定位置に並べて配設する床材取付溝６２を略フラット面６１を凹ませて形成してある。
図５は床材５０ｂのベース体に取り付ける手順の説明図を示す。
床材５０ｂは図５（ａ）に示す、未取付状態から、図５（ｂ）に示すように中間部材６０に取付用突条５１と床材取付用溝６２とを合わせて嵌め、例えばビス止めする等して固定する。
【００１０】
支持脚取付部材及び支持脚をデッキ部材から取り外した外観図を図７に示す。
図７（ａ）、図７（ｂ）、図７（ｃ）はそれぞれ支持脚取付部材３１に取り付けた支持脚３０ａ、３０ｂ、３０ｃを示し、図７（ｄ）は支持脚格子取付部材４０から取り外した支持脚３０ｃのみを示す。
ボルト部材３２の係合部３４にはスペーサー３５が螺合により、あるいは台座３８が嵌め込みにより連結してある。
【００１１】
図８は支持脚を高さ調整する状態の説明図を示す。
図８（ａ）、図８（ｂ）、図８（ｃ）は、図７（ａ）、図７（ｂ）、図７（ｃ）にそれぞれ示す支持脚３０ａ、３０ｂ、３０ｃを支持脚取付部材３１でデッキ部材ベース体に取り付けた状態を示す。
支持脚３０ａ、３０ｂ、３０ｃは、支持脚取付部材３１の取付筒受け凹部３１ｂを支持脚取付筒２１ｂに下方から嵌め込んである。
雌ねじ部３１ａは支持脚装着孔２１ｂに向けた状態としてあり、この支持脚取付部材３１の雌ねじ部３１ａにボルト部材３２のボルト部３２ａを螺合させてベース体２０を支持するように取り付けてある。
支持脚３０ａ、３０ｂ、３０ｃの高さ調整は、上方から支持脚装着孔２１ａを通して工具５を差し込んでボルト部３３先端の工具被操作部３３ｂに係合させ、工具５を回転することで雌ねじ部３１ａに対してボルト部３３を高さ方向の進退操作させて行う。
工具５がボルト部材３２を回転させると、ボルト部材３２に連結してあるスペーサー３５、３５ａも共に回転するが、ボルト部材３２とスペーサー３５とは螺合で連結してあり、スペーサー同士も螺合で連結してあるため、スペーサー３５、３５ａが外れることを防止してある。
【図面の簡単な説明】
【００１２】
【図１】床材を中間部材のフラット面に貼り付ける状態の説明図を示す。
【図２】中間部材の外観図を示す。
【図３】専用の床材の外観図を示す。
【図４】（ａ）は一般的な床材を取付けて分断した一方のデッキ部材の外観斜視図を示し、（ｂ）は専用の床材を用いたデッキ部材の外観斜視図を示す。
【図５】専用の床材を用いたデッキ部材の組立手順の説明図を示す。
【図６】本発明に関するデッキ部材の実施例を、バルコニー床面に適用した状態の説明図を示す。
【図７】支持脚取付部材及び支持脚をデッキ部材から取り外した外観説明図を示す。
【図８】支持脚をデッキ部材ベース体に取付けて高さ調整する状態の説明図を示す。
【図９】ベース体の外観図を示す。
【図１０】ベース体を裏側から見た外観斜視図を示す。
【図１１】デッキ部材を裏側から見た外観斜視図を示す。
【図１２】従来のデッキ部材構造の説明図を示す。
【符号の説明】
【００１３】
１      バルコニー
２      バルコニー床面
２ａ    ステップ
２ｂ    排水溝
３      室内床面
４      出入口
５      工具
１０    デッキ部材
１０ａ  寸法調整用のデッキ部材
１０ｃ、１０ｄ  デッキ部材床面
２０    デッキ部材ベース体
２０ａ  分断したデッキ部材ベース体
２１    支持脚装着部
２１ａ  支持脚装着孔
２１ｂ  支持脚取付体
２２    格子体部
２２ａ  交差部
２２ｂ  縦桟
２２ｃ  横桟
２２ｄ  格子穴
２３    デッキ部材ベース体側係合爪
２４    連結オス部
２５    連結メス部
３０ａ、３０ｂ、３０ｃ  支持脚
３１    支持脚取付部材
３１ａ  雌ねじ部
３１ｂ  取付筒受け凹部
３２、３２ａ  ボルト部材
３３    ボルト部
３３ａ  雄ねじ
３３ｂ  工具被操作部
３４    ボルト部材側の係合部
３４ａ  雄ねじ
３４ｂ  ピン受け孔
３５、３５ａ  スペーサー
３６    スペーサー側係合凹部
３６ａ  雌ねじ
３６ｂ  ガイドピン
３７    スペーサー側係合凸部
３７ａ  雄ねじ
３７ｂ  ピン受け孔
３８    台座
３８ａ  台座凹部
４０    支持脚格子取付部材
５０ａ、５０ｂ  床材
５０ｃ  床材表面
５０ｄ  床材裏面
５１    取付用突条
６０、６０ａ  中間部材
６１    略フラット面
６１ａ  リブ
６２    床材取付用凹溝
６３    中間部材側係合爪
６４    ビス穴
【図１】
0003124638.tif 000003
【図２】
0003124638.tif 000004
【図３】
0003124638.tif 000005
【図４】
0003124638.tif 000006
【図５】
0003124638.tif 000007
【図６】
0003124638.tif 000008
【図７】
0003124638.tif 000009
【図８】
0003124638.tif 000010
【図９】
0003124638.tif 000011
【図１０】
0003124638.tif 000012
【図１１】
0003124638.tif 000013
【図１２】
0003124638.tif 000014